(57)【要約】【課題】  トラクタに座乗した作業者が、手元に設けた電動操作部を操作し、後方に装着した農作業機の目的とする電動作動箇所を作動させる場合、電動操作部の操作スイッチを容易に選択できる電動操作部を有する農作業機を提供する【解決手段】  操作スイッチ２０を設けたトラクタ側の電動操作部２は、それぞれの操作スイッチ部を色分けして設け、それぞれの操作スイッチ２０に対応した作業機側の作動部に、それぞれ前記操作スイッチ部の色と同色のマークを設けたことを特徴とする電動操作部２を有する農作業機１を提供する。また、作業機側の作動部が、前記操作スイッチ部の色と同色に識別されて設けてあることを特徴とする電動操作部２を有する農作業機１を提供する。これにより、作動させようとする箇所の操作スイッチ２０が一目瞭然となる。【選択図】      図１
2008109868.tif 000002
【特許請求の範囲】
【請求項１】
トラクタに装着される電動作動部を有した農作業機において、前記電動作動部をトラクタ運転席から作動させる操作スイッチを設けた電動操作部は、該電動操作部のそれぞれの操作スイッチ部を色分けして設け、該色分けされた操作スイッチを操作することで作動する作業機側の作動部に、前記操作スイッチ部の色と同色のマークを走行車に乗車した作業者が目視確認できる位置に設けたことを特徴とする電動操作部を有する農作業機。
【請求項２】
トラクタに装着される電動作動部を有した農作業機において、前記電動作動部をトラクタ運転席から作動させる操作スイッチを設けた電動操作部は、該電動操作部のそれぞれの操作スイッチ部を色分けして設け、該色分けされた操作スイッチを操作することで作動する作業機の作動部が、前記操作スイッチ部の色と同色に識別されて設けてあることを特徴とする電動操作部を有する農作業機。
【発明の詳細な説明】
【技術分野】
【０００１】
本発明は、トラクタに装着される電動作動部を有した農作業機の操作部に関するものである。
【背景技術】
【０００２】
従来、トラクタに装着される作業機に、電装部品を介して作動する電動作動部を設け、トラクタに乗車した作業者が運転席から前記電装部品を操作して電動作動部を操作できる電動操作部を設けた農作業機が知られている。この種の従来技術として、例えば特開２００６−２３８８９８号公報（特許文献１）に記載される「農作業機」が開示されている。
【特許文献１】特開２００６−２３８８９８号公報
【発明の開示】
【発明が解決しようとする課題】
【０００３】
上記特許文献１に開示される電動操作部は、電動作動部を作動させる際に押動操作される作動用ボタンと、警告音を発するブザーとを有するので、操作部から警告音を発することができるとされ、操作する作業者等の操作性や安全性の向上を目的としたものである。この様な農作業機を、トラクタに座乗した作業者がトラクタの後方に装着された農作業機の電動作動部を作動させようとすると、後方を振り返り、作動させようとする作動部を確認しながら、手元の電動操作部を操作し作動させる。しかし、従来の電動操作部の操作スイッチには、作動部の名称や「右」や「左」等の文字表示のみされていて、後方を振り返って操作する作業者は、特に左右の表示がどちらを意味するのか非常にわかりにくい問題があった。また、不慣れな作業者が操作する場合作動部の名称だけでは理解できにくい問題があった。
【０００４】
このため、本発明の目的は、トラクタに座乗した作業者が、後方に装着した農作業機の目的とする電動作動箇所の操作スイッチを容易に識別できる電動操作部を有する農作業機を提供することにある。
【課題を解決するための手段】
【０００５】
上記課題を解決するために、トラクタに装着される電動作動部を有した農作業機において、前記電動作動部をトラクタ運転席から作動させる操作スイッチを設けた電動操作部は、該電動操作部のそれぞれの操作スイッチ部を色分けして設け、該色分けされた操作スイッチを操作することで作動する作業機側の作動部に、前記操作スイッチ部の色と同色のマークを走行車に乗車した作業者が目視確認できる位置に設けたことを特徴とする電動操作部を有する農作業機を提供する。
【０００６】
また、トラクタに装着される電動作動部を有した農作業機において、前記電動作動部をトラクタ運転席から作動させる操作スイッチを設けた電動操作部は、該電動操作部のそれぞれの操作スイッチ部を色分けして設け、該色分けされた操作スイッチを操作することで作動する作業機の作動部が、前記操作スイッチ部の色と同色に識別されて設けてあることを特徴とする電動操作部を有する農作業機を提供する。
【発明の効果】
【０００７】
以上のような構成にすることで、電動操作部のそれぞれの操作スイッチ部を色分けするとともに、農作業機の電動作動部の走行車に乗車した作業者が目視確認できる位置に同色のマークを設けたことにより、目的の電動作動部のマークと同色の電動操作部の操作スイッチを操作すればよく、操作時容易に目的の操作スイッチを識別操作できる。
【０００８】
また、作動する作業機の作動部が、操作スイッチ部の色と同色に識別されて設けてあるため、作動させようとする作動部と同じ色の操作スイッチを操作すればよく、容易に操作スイッチが識別できる。
【発明を実施するための最良の形態】
【０００９】
以下、本発明の一実施形態の構成を図面を参照して説明する。図１は本発明を実施した砕土装置である農作業機の平面図、図２は本発明を実施した電動操作部の操作盤の説明図、図３は延長整地板を折畳んだ状態の砕土装置である農作業機の平面図、図４は左右砕土装置を折畳んだ状態の側面図を示したものである。
【００１０】
本例に示す農作業機１は、図示していないトラクタに装着されて代掻き・砕土作業を行う折畳み式の代掻き装置である。図示していないトラクタの左右一対のロアリンクと中央上方のトップリンクとからなる３点リンクヒッチ機構に、農作業機１の前方に設けた左右一対のロワリンクピン１１と中央上方に設けたトップマスト１０により連結される。
【００１１】
農作業機１前方水平方向に突設させて設けた入力軸１２は、図示していないトラクタのＰＴＯ軸と図示していないユニバーサルジョイントで連結し、トラクタの回転動力を農作業機側に入力するためのものである。入力軸１２に入力された回転動力は、左右中央部の入力軸１２を突設して設けたギヤボックス１２１に入力され、ギヤボックス１２１より左右水平方向に延設したパイプフレーム内の伝動シャフトにより中央砕土装置１４の左右方向側方側に設けたチェーン伝動ケース１２２に伝達され、該チェーン伝動ケース１２２に内装され上下方向に巻架されたチェーンにより下方の砕土ロータ１３を駆動する。
【００１２】
砕土ロータ１３は、回転軸に放射状に左右方向に亘って砕土爪１３２が配置されていて、土中または泥土中で回転させ砕土するものである。砕土ロータ１３後方には、砕土された泥土を受けるとともに、左右水平方向に設けた回動軸で上下に回動しながら泥土を均平にしていく整地板が設けてある。
【００１３】
本例の代掻き装置は左右方向に長く構成されているため、１工程で広い作業幅を作業できる反面、狭い圃場での作業や道路を移動する際に幅が広い為に不都合が生ずる場合がある。このため、中央砕土装置１４と左砕土装置１５及び右砕土装置１６の左右方向で３分割し、左砕土装置１５及び右砕土装置１６をそれぞれ中央砕土装置１４側上方に回動させ折畳みできるように構成されている。
【００１４】
左砕土装置１５及び右砕土装置１６の上方への回動は、中央砕土装置１４の左右端側の前後方向向きに設けた折畳み回動軸１６１を回動支点として矢印Ａ方向に回動する。回動は、左右の折畳み回動軸１６１の近傍に設けた左折畳み電動駆動部２２と右折畳み電動駆動部２３により回動され、該折畳み電動駆動部内に設けた電動シリンダーを駆動伸縮して回動される。
【００１５】
砕土ロータ１３の折畳み部であるそれぞれの端部には、爪クラッチ１３１が設けてあり、折畳み及び展開時の砕土ロータ１３の接離ができるとともに、展開時の動力の伝達が可能に構成されている。
中央砕土装置１４と左砕土装置１５及び右砕土装置１６にはそれぞれ前記整地板である中央整地板１７と左整地板１８及び右整地板１９が設けてあり、折畳み回動時にはそれぞれの砕土装置とともに回動される。
【００１６】
左整地板１８及び右整地板１９の外側端部には、それぞれ左延長整地板１８１と右延長整地板１９１が設けてあり、左整地板１８及び右整地板１９の外側端部にそれぞれ設けた延長整地板折畳み回動軸１９２により左右方向に回動自在に設けてある。左延長整地板１８１と右延長整地板１９１は、前方の砕土装置部左右外側からはみ出した泥土を均平するもので、非使用時には、前記延長整地板折畳み回動軸１９２を支点として左整地板１８及び右整地板１９のそれぞれの上方に回動させ折畳む。
【００１７】
左延長整地板１８１と右延長整地板１９１の回動は、左砕土装置１５と右砕土装置１６とにそれぞれ設けた左延長整地板電動駆動部２４と右延長整地板電動駆動部２５を駆動することにより作動し、左右延長整地板電動駆動部内に設けてある電動モータに連動させた左電動アーム２４１及び右電動アーム２５１に、ワイヤーを介して左延長整地板１８１と右延長整地板１９１をそれぞれ連結し、各電動アームを左右方向に回動させることで、左右の延長整地板を矢印Ｂ方向に折畳み及び展開可能である。
【００１８】
前記左折畳み電動駆動部２２と右折畳み電動駆動部２３と左延長整地板電動駆動部２４及び右延長整地板電動駆動部２５は、農作業機１が装着されたトラクタの運転席に乗車した作業者が、運転席から遠隔操作できるように、運転席に設けた電動操作部２を操作することにより作動するように構成されている。電動操作部２は、電線ケーブル２６により農作業機１側と連結されているとともに、トラクタ側のバッテリーと連結されていて、各電動作動部が作動する。電線ケーブル２６に替えて、無線通信により作動させることも可能である。
【００１９】
電動操作部２の操作パネルには、図２に示すように各操作スイッチ２０及びトグルスイッチ２１が設けてあり、トグルスイッチ２１をそれぞれ「ひらく」又は「たたむ」の方向に倒し、希望する電動作動部に対応するそれぞれの操作スイッチ２０を押すと、農作業機１側の電動作動部が作動する。各操作スイッチ２０部のイ、ロ、ハ、ニ、の斜線部は色分けされて表示されていて、各操作スイッチ２０に対応して作動する農作業機１側の運転席より目視可能な位置にも同色のマークが設けてあり、希望する作動部のマークの色と同色のスイッチを押すことでだれでも簡単に迅速に操作が可能である。
【００２０】
左砕土装置１５を折畳むには、電動操作部２のトグルスイッチ２１を「たたむ」の方向に倒し、左砕土装置マーク３０と同色のロで示される操作スイッチ２０を押すことで折畳み可能である。また、逆に展開する場合は、トグルスイッチ２１を「ひらく」の方向に倒し、左砕土装置マーク３０と同色のロで示される操作スイッチ２０を押すことで展開可能である。右砕土装置１６の折畳み展開作動も同様に、右砕土装置マーク３１と同色のイで示される操作スイッチ２０を押すことで作動できる。
【００２１】
左延長整地板１８１及び右延長整地板１９１の回動も前記左右の砕土装置の作動と同じく、トグルスイッチ２１を希望作動方向に倒し、農作業機１側に表示された左延長整地板マーク３２又は右延長整地板マーク３３と同色の操作スイッチ２０を押すことで作動する。また、農作業機１側のマークに換えて作動部全体又は一部の塗装色を操作スイッチ２０の色と同色にすることでも同一の効果が得られる。
【００２２】
本発明は、実施例で示した代掻き砕土装置に限定されるものではなく、電動作動部を有する農作業機に適用可能であり、押すスイッチの色とこれにより作動する作業機の作動部の色を同じにし、複雑化する電動操作部の操作を老若男女問わず簡単に操作可能である構成とするものである。
【図面の簡単な説明】
【００２３】
【図１】本発明を実施した砕土装置である農作業機の平面図
【図２】本発明を実施した電動操作部の操作盤の説明図
【図３】延長整地板を折畳んだ状態の砕土装置である農作業機の平面図
【図４】左右砕土装置を折畳んだ状態の側面図
【符号の説明】
【００２４】
１  農作業機
１０    トップマスト
１１    ロワピン
１２    入力軸
１２１  ギヤボックス
１２２  チェーン伝動ケース
１３    砕土ローター
１３１  爪クラッチ
１４    中央砕土装置
１５    左砕土装置
１６    右砕土装置
１６１  折畳み回動軸
１７    中央整地板
１８    左整地板
１８１  左延長整地板
１９    右整地板
１９１  右延長整地板
１９２  延長整地板折畳み回動軸
２  電動操作部
２０    操作スイッチ
２１    トグルスイッチ
２２    左折畳み電動駆動部
２３    右折畳み電動駆動部
２４    左延長整地板電動駆動部
２４１  左電動アーム
２５    右延長整地板電動駆動部
２５１  右電動アーム
２６    電線ケーブル
３０    左砕土装置マーク
３１    右砕土装置マーク
３２    左延長整地板マーク
３３    右延長整地板マーク
【図１】
2008109868.tif 000003
【図２】
2008109868.tif 000004
【図３】
2008109868.tif 000005
【図４】
2008109868.tif 000006